【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
接地平面または接地電極との容量結合を有する受信電極と、
前記受信電極と前記接地平面または接地電極との間に配列される第１の伝送電極であって、前記第１の伝送電極は、前記受信電極に対して、前記伝送電極が前記受信電極の表面積を被覆するようなサイズを有する、第１の伝送電極と、
前記受信電極に隣接して配列され、前記第１の伝送電極と結合されない第２の伝送電極と
を備える容量センサシステムであって、
前記第１の伝送電極は、前記第２の伝送電極と前記接地平面または接地電極との間の領域内へ延在せず、前記第２の伝送電極は、前記第１の伝送電極より高い交流電圧を用いて駆動される、容量センサシステム。
【請求項２】
前記第１の伝送電極および前記第２の伝送電極を駆動させる第１の信号および第２の信号は、同一の周波数を有し、同相である、請求項１に記載の容量センサシステム。
【請求項３】
前記第１の伝送電極のための駆動信号は、０〜２０ボルトの振幅を有し、前記第２の伝送電極のための駆動信号は、６〜４０ボルトの振幅を有する、請求項１に記載の容量センサシステム。
【請求項４】
前記第２の伝送電極は、前記第１の伝送電極と同一平面に配列される、請求項１に記載の容量センサシステム。
【請求項５】
前記第２の伝送電極は、前記受信電極と同一平面に配列される、請求項１に記載の容量センサシステム。
【請求項６】
前記第２の伝送電極は、少なくとも部分的に、前記受信電極を取り囲む、請求項１に記載の容量センサシステム。
【請求項７】
前記第２の伝送電極は、前記第１の伝送電極の下方に配列される、請求項１に記載の容量センサシステム。
【請求項８】
前記第１の伝送電極は、区画化される、請求項１に記載の容量センサシステム。
【請求項９】
前記第２の伝送電極は、区画化される、請求項１に記載の容量センサシステム。
【請求項１０】
前記第２の伝送電極は、前記第１の伝送電極より大きい、請求項１に記載の容量センサシステム。
【請求項１１】
前記第１の伝送電極および前記第２の伝送電極に供給される第１の駆動信号および第２の駆動信号を発生させるコントローラをさらに備える、請求項１に記載の容量センサシステム。
【請求項１２】
前記第１の伝送電極および前記第２の伝送電極と異なる電圧を受信する少なくとも１つのさらなる伝送電極をさらに備える、請求項１に記載の容量センサシステム。
【請求項１３】
前記第２の伝送電極および第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、請求項１２に記載の容量センサシステム。
【請求項１４】
容量センサを動作させるための方法であって、前記容量センサは、接地平面または接地電極との容量結合を有する受信電極と、前記受信電極と前記接地平面または接地電極との間に配列される第１の伝送電極であって、前記第１の伝送電極は、前記受信電極に対して、前記伝送電極が前記受信電極の表面積を被覆するようなサイズを有する、第１の伝送電極と、前記受信電極に隣接して配列され、前記第１の伝送電極と結合されない第２の伝送電極とを備え、前記第１の伝送電極は、前記第２の伝送電極と前記接地平面または接地電極との間の領域内へ延在せず、前記方法は、
前記第１の伝送電極より高い交流電圧を用いて前記第２の伝送電極を駆動させるステップ
を含む、方法。
【請求項１５】
前記第１の伝送電極および前記第２の伝送電極を駆動させる第１の信号および第２の信号は、同一の周波数を有し、同相である、請求項１４に記載の方法。
【請求項１６】
前記第１の伝送電極のための駆動信号は、０〜２０ボルトの振幅を有し、前記第２の伝送電極のための駆動信号は、６〜４０ボルトの振幅を有する、請求項１４に記載の方法。
【請求項１７】
前記第２の伝送電極は、前記第１の伝送電極と同一平面に配列されるか、または、前記第２の伝送電極は、前記受信電極と同一平面に配列される、請求項１４に記載の方法。
【請求項１８】
前記第２の伝送電極は、少なくとも部分的に、前記受信電極を取り囲む、請求項１４に記載の方法。
【請求項１９】
前記第２の伝送電極は、前記第１の伝送電極の下方に配列される、請求項１４に記載の方法。
【請求項２０】
前記第１の伝送電極および／または第２の伝送電極は、区画化される、請求項１４に記載の方法。
【請求項２１】
前記第２の伝送電極は、前記第１の伝送電極より大きい、請求項１４に記載の方法。
【請求項２２】
電極システムは、少なくとも１つのさらなる伝送電極を備え、前記方法は、前記第１の伝送電極および前記第２の伝送電極のための電圧と異なる電圧を第３の伝送電極に供給するステップを含む、請求項１４に記載の方法。
【請求項２３】
前記第２の伝送電極および前記第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、請求項２２に記載の方法。
【請求項２４】
ディスプレイと、
前記ディスプレイの周囲にフレーム型に配列される４つの電極群であって、各電極群は、請求項１〜１３のいずれか１項に記載の容量センサシステムを備える、電極群と
を備えるデバイス。
【手続補正２】
【補正対象書類名】明細書
【補正対象項目名】０００９
【補正方法】変更
【補正の内容】
【０００９】
さらに別の実施形態によると、デバイスは、ディスプレイと、ディスプレイの周囲にフレーム型に配列される４つの電極群とを備えてもよく、各電極群は、接地平面または接地電極との容量結合を有する受信電極と、受信電極と接地平面との間に配列される第１の伝送電極であって、第１の伝送電極は、受信電極に対して、伝送電極が受信電極の表面積を被覆するようなサイズを有する、第１の伝送電極と、受信電極に隣接して配列され、第１の伝送電極と結合されない第２の伝送電極であって、第２の伝送電極は、第１の伝送電極より高い交流電圧を用いて駆動される、第２の伝送電極とを備えてもよい。
本発明は、例えば、以下を提供する。
（項目１）
接地平面または接地電極との容量結合を有する受信電極と、
前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、
前記受信電極に隣接して配列され、前記第１の伝送電極と結合されない第２の伝送電極であって、前記第２の伝送電極は、前記第１の伝送電極より高い交流電圧を用いて駆動される、第２の伝送電極と
を備える容量センサシステム。
（項目２）
前記第１の伝送電極および前記第２の伝送電極を駆動させる第１の信号および第２の信号は、同一の周波数を有し、同相である、項目１に記載の容量電極システム。
（項目３）
前記第２の伝送電極は、前記第１の伝送電極と同一平面に配列される、項目１または項目２に記載の容量電極システム。
（項目４）
前記第２の伝送電極は、前記受信電極と同一平面に配列される、項目１〜３のいずれか１項に記載の容量電極システム。
（項目５）
前記第２の伝送電極は、少なくとも部分的に、前記受信電極を取り囲む、項目１〜４のいずれか１項に記載の容量電極システム。
（項目６）
前記第２の伝送電極は、前記第１の伝送電極の下方に配列される、項目１〜５のいずれか１項に記載の容量電極システム。
（項目７）
前記第１の伝送電極は、区画化される、項目１〜６のいずれか１項に記載の容量電極システム。
（項目８）
前記第２の伝送電極は、区画化される、項目１〜７のいずれか１項に記載の容量電極システム。
（項目９）
前記第２の伝送電極は、前記第１の伝送電極より大きい、項目１〜８のいずれか１項に記載の容量電極システム。
（項目１０）
前記第１の伝送電極および前記第２の伝送電極に供給される第１の駆動信号および第２の駆動信号を発生させるコントローラをさらに備える、項目１〜９のいずれか１項に記載の容量電極システム。
（項目１１）
前記第１の伝送電極および前記第２の伝送電極と異なる電圧を受信する少なくとも１つのさらなる伝送電極をさらに備える、項目１〜１０のいずれか１項に記載の容量電極システム。
（項目１２）
前記第２の伝送電極および第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、項目１１に記載の容量電極システム。
（項目１３）
接地平面または接地電極との容量結合を有する受信電極と、前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、前記受信電極に隣接して配列され、前記第１の伝送電極と結合されない第２の伝送電極とを備える容量センサを動作させるための方法であって、前記方法は、
前記第１の伝送電極より高い交流電圧を用いて前記第２の伝送電極を駆動させるステップ
を含む、方法。
（項目１４）
前記第１の伝送電極および前記第２の伝送電極を駆動させる第１の信号および第２の信号は、同一の周波数を有し、同相である、項目１３に記載の方法。
（項目１５）
前記第２の伝送電極は、前記第１の伝送電極と同一平面に配列されるか、または、前記第２の伝送電極は、前記受信電極と同一平面に配列される、項目１３または項目１４に記載の方法。
（項目１６）
前記第２の伝送電極は、少なくとも部分的に、前記受信電極を取り囲む、項目１３〜１５のいずれか１項に記載の方法。
（項目１７）
前記第２の伝送電極は、前記第１の伝送電極の下方に配列される、項目１３〜１６のいずれか１項に記載の方法。
（項目１８）
前記第１の伝送電極および／または第２の伝送電極は、区画化される、項目１３〜１７のいずれか１項に記載の方法。
（項目１９）
前記第２の伝送電極は、前記第１の伝送電極より大きい、項目１３〜１８のいずれか１項に記載の方法。
（項目２０）
電極システムは、少なくとも１つのさらなる伝送電極を備え、前記方法は、前記第１の伝送電極および前記第２の伝送電極のための電圧と異なる電圧を第３の伝送電極に供給するステップを含む、項目１３〜１９のいずれか１項に記載の方法。
（項目２１）
前記第２の伝送電極および前記第３の伝送電極は、前記受信電極と同一平面に配列され、前記第２の伝送電極は、少なくとも部分的に、前記受信電極を取り囲み、前記第３の伝送電極は、少なくとも部分的に、前記第２の伝送電極を取り囲む、項目２０に記載の方法。
（項目２２）
ディスプレイと、
前記ディスプレイの周囲にフレーム型に配列される４つの電極群であって、各電極群は、
接地平面または接地電極との容量結合を有する受信電極と、
前記受信電極と前記接地平面との間に配列される第１の伝送電極であって、前記第１の伝送電極は、前記受信電極に対して、前記伝送電極が前記受信電極の表面積を被覆するようなサイズを有する、第１の伝送電極と、
前記受信電極に隣接して配列され、前記第１の伝送電極と結合されない第２の伝送電極であって、前記第２の伝送電極は、前記第１の伝送電極より高い交流電圧を用いて駆動される、第２の伝送電極と
を備える、電極群と
を備えるデバイス。